(57)【要約】      （修正有）【課題】生後半年に満たない赤子を保持した場合であっても股間節脱臼を防止することができると共に、生後半年を経過した後の赤子であっても保持することが可能であるベビーキャリアを提供する。【解決手段】全体縦長長方形に形成され、赤子を保持する支持片部１２と、該支持片部の上端部に固定された肩固定紐部１４ａ，１４ｂと、上記支持片部の下端部に固定された腹部固定紐部１６を有し、上記支持片部には上記肩固定紐部と腹部固定紐部との間に、支持片部の幅方向に沿って、支持片部の幅方向寸法を部分的に短縮させることができる幅寸法短縮部１７が設けられ、上記幅寸法短縮部と上記腹部固定紐部との間において赤子の足を拡開させ、側方へ突出させて配置することができると共に、上記幅寸法短縮部により支持片部の幅寸法を短縮させた場合には、赤子の足を下方へ垂下させうるように構成されている。【選択図】図１
0003173967.tif 000002
【実用新案登録請求の範囲】
【請求項１】
全体縦長長方形に形成され、赤子を保持する支持片部と、上記支持片部の上端部に固定された肩固定紐部と、上記支持片部の下端部に固定された腹部固定紐部を有し、上記支持片部には上記肩固定紐部と腹部固定紐部との間に、支持片部の幅方向に沿って、支持片部の幅方向寸法を部分的に短縮させることができる幅寸法短縮部が設けられ、上記幅寸法短縮部の上方において赤子の足を拡開させ、側方へ突出させて配置することができると共に、上記幅寸法短縮部により支持片部の幅寸法を短縮させた場合には、赤子の足を下方へ垂下させうるように構成されていることを特徴とするベビーキャリア。
【請求項２】
上記幅寸法短縮部は、端部が上記支持片部の側端部に固定された２本の紐からなることを特徴とする請求項１記載のベビーキャリア。
【請求項３】
上記２本の紐は、一方の紐に固定されたファスナー部材を介して長さ調節可能に互いに接合されていることを特徴とする請求項２記載のベビーキャリア。
【請求項４】
上記支持片部は、使用者の背中又は腹部の幅寸法と略同一の幅寸法を有することを特徴とする請求項３記載のベビーキャリア。
【請求項５】
上記支持片部には、保持する赤子の首を支持するための支持部材を収納する収納部が設けられていることを特徴とする請求項１記載のベビーキャリア。
【考案の詳細な説明】
【技術分野】
【０００１】
本考案は、ベビーキャリアに係り、特に、使用者の正面または背面において、赤子を縦抱きにして保持することができるベビーキャリアに関する。
【背景技術】
【０００２】
一般に、使用者の正面または背面において、赤子を縦抱きにして保持するために使用されるベビーキャリアとして、実用新案登録第３１６１８５１号公報（特許文献１）に開示されたベビーキャリアが知られている。
【０００３】
上記特許文献１に記載された上記ベビーキャリアは、赤子を包み込むように保持しうるキャリア本体と、上記キャリア本体上端部の左右両側にそれぞれ取り付けられた肩ベルトと、上記キャリア本体の下端部に取り付けられた腰ベルトとから構成されており、上記キャリア本体の上端部には、上記キャリア本体に設けられた収納部に収納可能なヘッドサポートが備えられている。
【０００４】
上記ベビーキャリアを使用する場合には、使用者の両腕を上記両肩ベルトにそれぞれ通し、上記左右の両肩ベルトを使用者の左右の両肩にそれぞれ当接させると共に、上記腰ベルトを使用者の腰に巻きつけて装着することにより、上記ベビーキャリアを使用者の体の正面または背面に固定する。
【０００５】
その後、使用者の体に固定された上記ベビーキャリアの上記キャリア本体に赤子を包み込むことにより、使用者の両肩および腰で赤子を支えることができ、使用者の正面または背面において赤子を縦抱きの状態で保持することができる。
【０００６】
また、上記ベビーキャリアに赤子を保持した場合に、キャリア本体下部の股部との当接部が赤子の股を圧迫することや、赤子の股に食い込むことを防ぐ必要があることから、上記キャリア本体下部の股部との当接部の幅寸法は短縮されており、上記ベビーキャリアに赤子を保持した場合には、保持した赤子の両足がそれぞれ上記キャリア本体の左右両側部から下方へ垂下した状態で赤子は保持される。
【０００７】
しかしながら、生後半年に満たない赤子は、股関節の靭帯が弱いため、股関節脱臼が起こりやすく、股関節脱臼を防ぐためには、赤子の股を開き、股関節が伸びた状態を維持する必要があること知られており、上記ベビーキャリアに生後半年に満たない赤子を保持した場合には、赤子の両足が下方へ垂下して股が閉じられることにより、股間節脱臼が生じる虞があるという不具合があった。
【特許文献１】実用新案登録第３１６１８５１号
【考案の開示】
【考案が解決しようとする課題】
【０００８】
そこで、本考案の課題は、生後半年に満たない赤子を保持した場合であっても股間節脱臼が生じる虞がなく、生後半年を経過した後の赤子であっても保持することが可能なベビーキャリアを提供することにある。
【課題を解決するための手段】
【０００９】
上記課題を解決するため、請求項１の考案に係るベビーキャリアは、全体縦長長方形に形成され、赤子を保持する支持片部と、上記支持片部の上端部に固定された肩固定紐部と、上記支持片部の下端部に固定された腹部固定紐部を有し、上記支持片部には上記肩固定紐部と腹部固定紐部との間に、支持片部の幅方向に沿って、支持片部の幅方向寸法を部分的に短縮させることができる幅寸法短縮部が設けられ、上記幅寸法短縮部の上方において赤子の足を拡開させ、側方へ突出させて配置することができると共に、上記幅寸法短縮部により支持片部の幅寸法を短縮させた場合には、赤子の足を下方へ垂下させうるように構成されていることを特徴とする。
【００１０】
したがって、請求項１の考案に係るベビーキャリアは、全体縦長長方形に形成され、赤子を保持する支持片部と、上記支持片部の上端部に固定された肩固定紐部と、上記支持片部の下端部に固定された腹部固定紐部を有することから、上記肩固定紐部を使用者の肩に固定すると共に、上記腹部固定紐部を使用者の腹部に固定することにより、使用者の正面または背面に固定することができ、上記支持片部に赤子を保持することができる。
【００１１】
また、請求項１の考案に係るベビーキャリアは、上記支持片部には上記肩固定紐部と腹部固定紐部との間に、支持片部の幅方向に沿って、支持片部の幅方向寸法を部分的に短縮させることができる幅寸法短縮部が設けられ、上記幅寸法短縮部の上方において赤子の足を拡開させ、側方へ突出させて配置することができると共に、上記幅寸法短縮部により支持片部の幅寸法を短縮させた場合には、赤子の足を下方へ垂下させうるように構成されていることから、上記支持片部の幅方向寸法を短縮せずに赤子を保持する場合には、上記幅寸法短縮部と上記腹部固定紐部との間において赤子の足を拡開させ、側方へ突出させて配置することができる。
【００１２】
また、請求項１の考案に係るベビーキャリアは、上記幅寸法短縮部により上記支持片部の幅寸法を短縮させて赤子を保持する場合には、赤子の足を下方へ垂下させた状態で保持できる。
【００１３】
請求項２の考案に係るベビーキャリアは、上記幅寸法短縮部は、端部が上記支持片部の側端部に固定された２本の紐からなることを特徴とする。
【００１４】
したがって、上記幅寸法短縮部は、端部が上記支持片部の側端部に固定された２本の紐からなることから、上記側端部に固定された２本の紐を互いに引き寄せ、上記２本の紐同士を任意の位置で接合することにより、上記支持片部を部分的に任意の幅寸法に短縮することができる。
【００１５】
請求項３の考案に係るベビーキャリアは、上記２本の紐は、一方の紐に固定されたファスナー部材を介して長さ調節可能に互いに接合されていることを特徴とする。
【００１６】
したがって、上記２本の紐は、一方の紐に固定されたファスナー部材を介して長さ調節可能に互いに接合されていることから、上記ファスナー部材を介して他方の紐の長さ寸法を調節することにより、上記支持片部の幅寸法を調節することができる。
【００１７】
請求項４の考案に係るベビーキャリアは、上記支持片部は、使用者の背中又は腹部の幅寸法と略同一の幅寸法を有することを特徴とする。
【００１８】
したがって、上記支持片部は、使用者の背中または腹部の幅寸法と略同一の幅寸法を有することから、使用者の背中または腹部の幅寸法と略同一の幅寸法を有する上記支持片部に赤子を保持することができる。
【００１９】
請求項５の考案に係るベビーキャリアは、上記支持片部には、保持する赤子の首を支持するための支持部材を収納する収納部が設けられていることを特徴とする。
【００２０】
したがって、上記収納部に保持する赤子の首を支持するための上記支持部材を収納することができる。
【考案の効果】
【００２１】
請求項１の考案に係るベビーキャリアは、上記支持片部の幅方向寸法を短縮せずに赤子を保持する場合には、上記幅寸法短縮部の上方において赤子の足を拡開させ、側方へ突出させて配置することができることから、生後半年に満たない赤子を保持する場合であっても、赤子の足を拡開させ、股間節が伸びた状態を維持することができ、その結果、生後半年に満たない赤子を保持した場合であっても股間節脱臼が生じる虞はない。
【００２２】
また、請求項１の考案に係るベビーキャリアは、上記幅寸法短縮部により支持片部の幅寸法を短縮させて赤子を保持する場合には、赤子の足を下方へ垂下させた状態で保持できることから、赤子の股が上記支持片部により圧迫されることや、赤子の股に上記支持片部が食い込むことが防止され、その結果、生後半年を経過した赤子であっても保持することが可能である。
【００２３】
請求項２の考案に係るベビーキャリアは、上記側端部に固定された２本の紐を互いに引き寄せ、上記２本の紐同士を任意の位置で接合することにより、上記支持片部を部分的に任意の幅寸法に短縮することができ、その結果、保持する赤子の大腿部の太さ寸法、股間節の固さ等に応じて、上記支持片部を最適な幅寸法に短縮することができる。
【００２４】
請求項３の考案に係るベビーキャリアは、上記ファスナー部材を介して他方の紐の長さ寸法を調節することにより、上記支持片部の幅寸法を調節することができることから、上記支持片部の幅寸法を調節する場合には、上記ファスナー部材を介して他方の紐の長さ寸法のみを調節すればよく、その結果、上記支持片部の幅寸法を容易に調節することができる。
【００２５】
請求項４の考案に係るベビーキャリアは、使用者の背中または腹部の幅寸法と略同一の幅寸法を有する上記支持片部に赤子を保持することができ、その結果、上記支持片部が赤子の体全体を包み込んで赤子を保持することができ、赤子を確実に保持することが可能である。
【００２６】
請求項５の考案に係るベビーキャリアは、上記収納部に保持する赤子の首を支持するための上記支持部材を収納することができることから、上記収納部に上記支持部材を収納することにより、保持する赤子の首が据わっていない場合であっても、上記支持部材が赤子の首を支え、赤子の首が傾くことを防止することができる、その結果、首が据わる前の赤子であっても保持することができる。
【図面の簡単な説明】
【００２７】
【図１】本考案に係るベビーキャリアの一実施の形態におけるベビーキャリアを示す正面図である。
【図２】本考案に係るベビーキャリアの一実施の形態におけるベビーキャリアの支持片部の幅寸法を部分的に短縮させた状態を示す正面図である。
【図３】本考案に係るベビーキャリアの一実施の形態におけるベビーキャリアに赤子を保持した状態を示す正面図である。
【図４】本考案に係るベビーキャリアの一実施の形態におけるベビーキャリアの支持片部の幅寸法を部分的に短縮させた状態で赤子を保持した状態を示す正面図である。
【考案を実施するための最良の形態】
【００２８】
以下、添付図面に示す実施の形態に基づき、本考案を詳細に説明する。
【００２９】
図１および図３に示すように、本実施の形態に係るベビーキャリア１０は、全体縦長長方形に形成され、赤子１１を保持する支持片部１２と、上記支持片部１２の上端部１３ａ、１３ｂにそれぞれ固定された肩固定紐部１４a、１４ｂと、上記支持片部１２の下端部１５に固定された腹部固定紐部１６を有する。
【００３０】
また、図１および図２に示すように、上記支持片部１２には上記肩固定紐部１４a、１４ｂと腹部固定紐部１６との間に、支持片部１２の幅方向に沿って、支持片部１２の幅方向寸法を部分的に短縮させることができる幅寸法短縮部１７が設けられている。
【００３１】
図３に示すように、上記ベビーキャリア１０は、上記幅寸法短縮部１７の上方において赤子１１の足１８a、１８ｂを拡開させ、側方へ突出させて配置することができると共に、図４に示すように、上記幅寸法短縮部１７により支持片部１２の幅寸法を短縮させた場合には、赤子１１の足１８a、１８ｂを下方へ垂下させうるように構成されている
【００３２】
図１に示すように、上記幅寸法短縮部１７は、端部１９a、１９ｂが上記支持片部１２の側端部２０a、２０ｂにそれぞれ固定された２本の紐２１ａ、２１ｂからなり、上記２本の紐２１ａ、２１ｂは、一方の紐２１ａに固定されたファスナー部材２２を介して長さ調節可能に互いに接合されている。
【００３３】
図３に示すように、上記支持片部１２は、使用者２３の背中又は腹部の幅寸法と略同一の幅寸法を有する。
【００３４】
また、図１に示すように、上記支持片部１２には、保持する赤子１１の首（図示せず）を支持するための支持部材２４を収納する収納部２５が設けられている。
【００３５】
図１に示すように、上記肩固定紐部１４ａ、１４ｂは、一端部２６ａ、２６ｂが、上記支持片部１２の上記上端部１３ａ、１３ｂにそれぞれ縫合により固定された肩パッド部２７ａ、２７ｂと、上記肩パッド部２７ａ、２７ｂの他端部２８ａ、２８ｂにそれぞれ縫合により固定された肩調節紐部２９ａ、２９ｂとにより構成されている。
【００３６】
また、図１に示すように、上記支持片部１２には、一端部３０a、３０ｂが上記支持片部１２の左右両側部の長さ方向中央付近に固定されており、他端部３１a、３１ｂにはファスナー部材３２ａ、３２ｂが固定して配置されている短帯状紐部３３ａ、３３ｂがそれぞれ設けられている。
【００３７】
上記肩固定紐部１４ａ、１４ｂの肩調節紐部２９ａ、２９ｂと上記短帯状紐部３３ａ、３３ｂとは、それぞれ、上記ファスナー部材３２ａ、３２ｂを介して長さ調節可能に接合されており、上記肩調節紐部２９ａ、２９ｂの長さ調節を行うことにより、上記肩固定紐部１４ａ、１４ｂを使用者２３の希望する長さ寸法に調節することができる。
【００３８】
図１に示すように、上記腹部固定紐部１６は、帯状に形成され、上記支持片部１２の上記下端部１５に縫合により固定された腰パッド部３４と、上記腰パッド部３４の右側端縁部３５に固定された、腹部調節紐部３６とを有する。
【００３９】
また、上記腰パッド３４の左側端部３８には、短帯状のバックル固定紐部３９を介してバックル雌部４０が固定されており、上記腹部調節紐部３６には、上記腹部調節紐部３６の長さ調節を可能にすると共に、上記バックル雌部４０と係合しうるバックル雄部４１が設けられている。
【００４０】
図３および図４に示すように、上記腹部固定紐部１６は、上記腰パッド部３４を使用者２３の腰４５に巻きつけるように配置し、上記バックル雌部４０と上記バックル雄部４１とを係合させると共に、上記バックル雄部４１を介して上記腹部調節紐部３６の長さ調節を行うことにより、使用者２３の腹部に固定することができる。
【００４１】
図１に示すように、上記収納部２５は、縦長長方形に形成され、上記支持片部１２の上端部に沿って上方に開口する開口部４２を有しており、上記収納部２５に上記支持部材２４を収納する場合には、上記開口部４２から上記支持部材２４を挿入して収納する。
【００４２】
以下、本実施の形態に係るベビーキャリア１０の作用について説明する。
【００４３】
図３および図４に示すように、上記ベビーキャリア１０を使用する場合には、使用者２３の両腕４３ａ、４３ｂを上記肩固定紐部１４ａ、１４ｂにそれぞれ通し、上記肩固定紐部１４ａ、１４ｂの上記肩パッド部２７ａ、２７ｂを使用者の両肩４４ａ、４４ｂにそれぞれ当接させると共に、上記腹部固定紐部１６を使用者２３の腰４５に巻きつけ、
上記バックル雌部４０と上記バックル部雄部４１とを係合させて上記腹部固定紐部１６を使用者２３の腰４５に装着することにより、上記ベビーキャリア１０を使用者２３の体に固定する。
【００４４】
その後、使用者２３の体に固定された上記ベビーキャリア１０の上記支持片部１２に赤子１１を包み込むことにより、使用者２３の両肩４４ａ、４４ｂおよび腰４５において赤子１１を支えて保持することができる。
【００４５】
図３に示すように、上記ベビーキャリア１０に赤子１１を保持した場合には、上記幅寸法短縮部１７の上方において赤子１１の足１８a、１８ｂを拡開させ、側方へ突出させて配置することができることから、赤子１１が生後半年に満たない場合であっても、足１８a、１８ｂを拡開させ、股間節が伸びた状態を維持することができ、股間節脱臼を防止することができる。
【００４６】
また、図４に示すように、上記ベビーキャリア１０の上記幅寸法短縮部１７により上記支持片部１２の幅寸法を短縮させた場合には、赤子１１の足１８a、１８ｂを下方へ垂下させることができることから、赤子１１の股が上記支持片部１２により圧迫されることや、赤子１１の股に上記支持片部１２が食い込むことが防止され、赤子１１が生後半年を経過している場合であっても保持することが可能である。
【００４７】
図１および図２に示すように、上記ベビーキャリア１０の上記支持片部２１に設けられた上記幅寸法短縮部１６は、上記ファスナー部材２２を介して上記紐２１ｂの長さを調節することにより、上記支持片部１２を部分的に任意の幅寸法に調節することができ、保持する赤子１１の大腿部の太さ寸法、股間節の固さ等に応じて、上記支持片部１２を最適な幅寸法に短縮することができる。
【００４８】
また、上記支持片部１２の幅寸法を調節する場合には、上記ファスナー部材２２を介して上記紐２１ｂの長さのみを調節すればよく、上記支持片部１２の幅寸法を容易に調節することができ、上記ベビーキャリアに赤子を保持した状態であっても、上記支持片部１２の幅寸法を調節することができる。
【００４９】
上記ベビーキャリア１０は、上記支持片部１２の上記収納部２５に保持する赤子１１の首を支持するための上記支持部材２４を収納することができることから、上記収納部２５に上記支持部材２４を収納することにより、保持する赤子１１の首が据わっていない場合であっても、上記支持部材２４が赤子１１の首を支え、赤子１１の首が傾くことを防止することができる
【産業上の利用可能性】
【００５０】
本考案は、ベビーキャリアに広く適用可能であり、産業上の利用可能性を有している。
【符号の説明】
【００５１】
１０    ベビーキャリア
１１    赤子
１２    支持片部
１３ａ  上端部
１３ｂ  上端部
１４ａ  肩固定紐部
１４ｂ  肩固定紐部
１５    下端部
１６    腹部固定紐部
１７    幅寸法短縮部
１８ａ  足
１８ｂ  足
１９ａ  端部
１９ｂ  端部
２０ａ  側端部
２０ｂ  側端部
２１ａ  紐
２１ｂ  紐
２２    ファスナー部材
２３    使用者
２４    支持部材
２５    収納部
２６ａ  一端部
２６ｂ  一端部
２７ａ  肩パッド部
２７ｂ  肩パッド部
２８ａ  他端部
２８ｂ  他端部
２９ａ  肩調節紐部
２９ｂ  肩調節紐部
３０ａ  一端部
３０ｂ  一端部
３１ａ  他端部
３１ｂ  他端部
３２ａ  ファスナー部材
３２ｂ  ファスナー部材
３３ａ  短帯状紐部
３３ｂ  短帯状紐部
３４    腰パッド部
３５    右側端縁部
３６    腹部調節紐部
３８    左側端部
３９    バックル固定紐部
４０    バックル雌部
４１    バックル雄部
４２    開口部
４３ａ  腕
４３ｂ  腕
４４ａ  肩
４４ｂ  肩
４５    腰
【図１】
0003173967.tif 000003
【図２】
0003173967.tif 000004
【図３】
0003173967.tif 000005
【図４】
0003173967.tif 000006